(57)【特許請求の範囲】
【請求項１】
計量皿が、被計量物を載置する載置面と、該載置面の両側で重量センサユニットを覆うボックス状の被覆部とを有し、前記載置面が前記ボックス状被覆部の頂面よりも低く設定されている低床台秤であって、
前記計量皿の載置面に載置された被計量物の荷重を計測する計量部本体と、
前記載置面からの被計量物のオーバーランを規制する保護機構と、
を有し、
前記計量部本体が、
前記計量皿と、
前記計量皿のボックス状被覆部の内側に当接する突出部を有し、該突出部で前記計量皿を支えている前記重量センサユニットと、
前記重量センサユニットを床面に近接した位置で支える床面ベースと、
を備え、
前記床面ベースが、
前記重量センサユニットを支持する一対のセンサ取付フレームと、
前記センサ取付フレームの床面からの高さを調節するために一端が床面に接している高さ調整ネジと、
前記高さ調整ネジが螺合されるネジ孔を有し、前記高さ調整ネジの回転に応じて前記センサ取付フレームの床面からの高さを変える高さ調整板と、
を備え、
前記保護機構が、
前記載置面の後方の前記計量部本体に接触しない位置で被計量物のオーバーランを抑止するストッパーと、
前記ストッパーを前記床面ベースに取り付けるストッパー取付部材と、
を備え、
前記ストッパーと結合した前記ストッパー取付部材が、前記床面ベースの高さ調整板に、直接または連結部材を介して取り付けられることを特徴とする低床台秤。
【請求項２】
請求項１に記載の低床台秤であって、前記ストッパー取付部材が、前記ストッパーを支持するストッパー支持体と、前記ストッパー支持体に結合して前記床面ベースに取り付けられるストッパー取付フレームと、から成ることを特徴とする低床台秤。
【請求項３】
請求項２に記載の低床台秤であって、前記高さ調整ネジ及び高さ調整板が、前記センサ取付フレームの前端及び後端に配置され、前記センサ取付フレームに並行して延びる前記ストッパー取付フレームが、前記センサ取付フレームの前端及び後端の位置で前記高さ調整板に取り付けられることを特徴とする低床台秤。
【請求項４】
請求項１から３のいずれかに記載の低床台秤であって、前記センサ取付フレームは、前記重量センサユニットを取り付ける取付け面と、該取付け面の両側縁が上方に折れ曲がって形成された起立部とを有し、前記起立部は、その外面に、前記重量センサユニットの突出部と前記計量皿のボックス状被覆部との当接位置が前記センサ取付フレームの延伸方向と直交する方向にずれたときに前記ボックス状被覆部の内面に当接する第１当接部を有していることを特徴とする低床台秤。
【請求項５】
請求項１から４のいずれかに記載の低床台秤であって、前記高さ調整板は、前記重量センサユニットの突出部と前記計量皿のボックス状被覆部との当接位置が前記センサ取付フレームの延伸方向にずれたときに前記ボックス状被覆部の内面に当接する第２当接部を有していることを特徴とする低床台秤。
【発明の詳細な説明】
【技術分野】
【０００１】
本発明は、被計量物を計量皿に載せ易くするため、計量皿の高さを低く設定した低床台秤に関し、衝撃による精度の低下を回避できるようにしたものである。
【背景技術】
【０００２】
下記特許文献１には、本発明者等が以前に開発した低床台秤が開示されている。
この低床台秤は、図１２に示すように、平坦な計量皿（不図示）を支える上側フレーム１０と、二本の並行する基礎フレーム２０、２０と、基礎フレーム２０、２０間に掛け渡された重量センサユニット３０とを備えている。図１３に示すように、重量センサユニット３０のセンサケース３３内には、音叉振動子４１と、加えられた荷重を縮小して音叉振動子４１に伝えるブロック体４２とを備える重量センサ４０が収納されており、ブロック体４２の内部には、ブロックを削り込んでロバーバル機構や梃子機構が形成されている。
【０００３】
ブロック体４２の固定側は、ボルト４３でセンサケース３３の底部に固定され、ブロック体４２の可動側にはボルト３７を通じて被計量物の荷重が伝達される。ボルト３７の先端は、上側フレーム１０を支える上面支持部材３１（図１２）と機械的に結合されており、上側フレーム１０に加わる荷重が、上側フレーム１０に接触する二つの重量センサユニット３０の上面支持部材３１に伝わり、上面支持部材３１から、上面支持部材３１を支えているボルト３７に伝わり、ボルト３７に加わる荷重によって重量センサ４０のブロック体４２の可動側が変位し、その変位に応じた信号が音叉振動子４１から出力される。
また、上面支持部材３１の上側フレーム１０を支える面には、上側フレーム１０の撓みに起因する検出精度の低下を防ぐための分力緩衝装置３２が設置されている。
【先行技術文献】
【特許文献】
【０００４】
【特許文献１】国際公開ＷＯ２０１１／００１８７７
【発明の概要】
【発明が解決しようとする課題】
【０００５】
薬液原料等の重量物を計量する生産現場では、台秤の一層の低床化と高精度化を求める声が強い。
低床化を図る台秤の計量皿の構造として、被計量物を載置する載置面を計量皿の他の部分よりも一段低くしたものが知られている。この低床化構造を採用すれば、例えば、重い被計量物を台車などに載せ、載置面に導くように設置されたスロープを通って、台車ごと載置面上に移動し、そのときの計量値から台車分を引き去って被計量物の重量を算出することができる。そのため、重量の大きい被計量物の荷重測定作業が容易になる。
しかし、こうした場合、重量物を載せた台車が載置面から落ちたり、計量皿に衝突したりして、台秤に大きな衝撃を与える事象が想定される。このような事象は、作業者の安全を脅かすとともに、台秤の計量精度を損なう虞がある。
【０００６】
本発明は、こうした事情を考慮して創案したものであり、安全性が確保でき、且つ、衝撃による精度の低下が回避できる低床台秤を提供することを目的としている。
【課題を解決するための手段】
【０００７】
本発明は、計量皿が、被計量物を載置する載置面と、載置面の両側で重量センサユニットを覆うボックス状の被覆部とを有し、載置面がボックス状被覆部の頂面よりも低く設定されている低床台秤であって、計量皿の載置面に載置された被計量物の荷重を計測する計量部本体と、載置面からの被計量物のオーバーランを規制する保護機構と、を有し、計量部本体が、計量皿と、計量皿のボックス状被覆部の内側に当接する突出部を有し、この突出部で計量皿を支えている重量センサユニットと、重量センサユニットを床面に近接した位置で支える床面ベースと、を備え、床面ベースが、重量センサユニットを支持する一対のセンサ取付フレームと、センサ取付フレームの床面からの高さを調節するために一端が床面に接している高さ調整ネジと、高さ調整ネジが螺合されるネジ孔を有し、高さ調整ネジの回転に応じてセンサ取付フレームの床面からの高さを変える高さ調整板と、を備え、保護機構が、載置面の後方の計量部本体に接触しない位置で被計量物のオーバーランを抑止するストッパーと、ストッパーを床面ベースに取り付けるストッパー取付部材と、を備え、ストッパーと結合したストッパー取付部材が、床面ベースの高さ調整板に、直接または連結部材を介して取り付けられることを特徴とする。
この低床台秤では、ストッパーを支持するストッパー取付部材が、床面に近接して位置する床面ベースに、床面ベースの高さ調整板を介して取り付けられるため、ストッパーに加わる衝撃は、計量皿や重量センサユニットに殆ど及ばない。
【０００８】
また、本発明の低床台秤では、ストッパー取付部材が、ストッパーを支持するストッパー支持体と、ストッパー支持体に結合して床面ベースに取り付けられるストッパー取付フレームと、から成る。
このように、ストッパーは、ストッパー支持体及びストッパー取付フレームを介して床面ベースに取り付けられる。
【０００９】
また、本発明の低床台秤では、高さ調整ネジ及び高さ調整板が、センサ取付フレームの前端及び後端に配置され、センサ取付フレームに並行して延びるストッパー取付フレームが、センサ取付フレームの前端及び後端の位置で高さ調整板に取り付けられる。
そのため、ストッパー取付フレームが安定的に固定され、ストッパーの取り付けが安定化する。
【００１０】
また、本発明の低床台秤では、センサ取付フレームが、重量センサユニットを取り付ける取付け面と、この取付け面の両側縁が上方に折れ曲がって形成された起立部とを有し、起立部は、その外面に、重量センサユニットの突出部と計量皿のボックス状被覆部との当接位置がセンサ取付フレームの延伸方向と直交する方向にずれたときにボックス状被覆部の内面に当接する第１当接部を有している。
そのため、衝撃を受けた計量皿がセンサ取付フレームの延伸方向と直交する方向にずれた場合でも、計量皿は、センサ取付フレームに当たり、繊細な重量センサユニットには当たらない。
【００１１】
また、本発明の低床台秤の高さ調整板は、重量センサユニットの突出部と計量皿のボックス状被覆部との当接位置がセンサ取付フレームの延伸方向にずれたときにボックス状被覆部の内面に当接する第２当接部を有している。
そのため、衝撃を受けた計量皿がセンサ取付フレームの延伸方向にずれた場合でも、計量皿は、高さ調整板に当たり、繊細な重量センサユニットや、それを支持するセンサ取付フレームには当たらない。
【発明の効果】
【００１２】
本発明の低床台秤は、計量精度を低下させずに、計量皿の載置面から被計量物が落ちる事故を防ぐことができる。
また、計量皿の受けた衝撃が重量センサに直接及ばないようにしているため、計量皿が衝撃を受けても、高精度が維持できる。
【図面の簡単な説明】
【００１３】
【図１】本発明の実施形態に係る低床台秤の斜視図
【図２】図１の低床台秤の計量部本体を示す斜視図
【図３】図２の計量部本体の分解斜視図
【図４】計量部本体の床面ベースの一部拡大図
【図５】図３の重量センサユニットを示す斜視図
【図６】図２の計量部本体のセンサ取付フレーム、重量センサユニット及びボックス状被覆部の関係を示す図
【図７】図１の低床台秤の床面ベースに結合された保護機構を示す斜視図
【図８】図７の床面ベース及び保護機構の分解斜視図
【図９】図７の床面ベース及び保護機構の平面図
【図１０】図９の床面ベース及び保護機構の分解平面図
【図１１】図７の床面ベース及び保護機構の分解正面図
【図１２】従来の低床台秤を示す図
【図１３】従来の低床台秤に用いられている重量センサユニットの分解斜視図
【発明を実施するための形態】
【００１４】
図１は、本発明の実施形態に係る低床台秤の全体形状を示している。
この台秤は、計量皿１００の載置面１０１に載置された被計量物を計量する計量部本体と、ストッパー１６０やストッパー取付部材（１６１、１６２）から成る保護機構とを備えている。
【００１５】
計量部本体は、図２の斜視図、図３の分解斜視図、及び、図４の一部拡大図に示すように、重量センサユニット１２０と、被計量物が載置される載置面１０１、及び、載置面１０１の両側で重量センサユニット１２０を覆うボックス状の被覆部１０２を有する計量皿１００と、重量センサユニット１２０を床面に近接した位置で支える床面ベースとを備えており、床面ベースは、重量センサユニット１２０が固定される一対のセンサ取付フレーム１３０と、センサ取付フレーム１３０間を接続する一対の接続フレーム１３１と、センサ取付フレーム１３０の床面からの高さを調節する高さ調整ネジ１７０と、高さ調整ネジ１７０が螺合されるネジ孔を有し、高さ調整ネジ１７０の回転に応じて床面からの高さを変える高さ調整板１７１（図４）とで構成されている。
【００１６】
計量皿１００の載置面１０１は、ボックス状被覆部１０２の頂面よりも一段低くなるようにボックス状被覆部１０２と一体化されている。なお、一枚の板を成形して載置面１０１とボックス状被覆部１０２とを備える計量皿１００を構成しても良い。
また、ボックス状被覆部１０２の側面には、計量皿１００をセットしたり、取り外したりするときに使用する把手１０３が固定されている。
重量センサユニット１２０は、一本のセンサ取付けフレーム１３０に二つずつ取付けられており、合計４個の重量センサユニット１２０が矩形状を成す位置に固定されている。
【００１７】
この重量センサユニット１２０は、図５に示すように、特許文献１に記載されたものと同様の重量センサが収容されたセンサケース１２１と、センサケース１２１の開口を塞ぐ蓋板１２２と、計量皿１００に加わる荷重を重量センサの可動部に伝達するために蓋板１２２を貫いてセンサケース１２１の外に導出された４本のボルト１２３と、このボルト１２３に機械的に結合された固定板１２４と、固定板１２４に固定された分力緩衝ユニット１４０と、分力緩衝ユニット１４０の上板に固定された円錐台状の頂部を備えたボス１５０とを備えている。
【００１８】
図６では、センサ取付けフレーム１３０、重量センサユニット１２０及びボックス状被覆部１０２の関係を示している。重量センサユニット１２０のボス１５０は、計量皿１００のボックス状被覆部１０２の内側に固定された受部材１５２に当接して計量皿１００を支える。この受部材１５２には、擂鉢状凹部１５３が形成されており、ボス１５０の先端が擂鉢状凹部１５３に係合して、ボス１５０に対する計量皿１００の位置決めが行われる。
なお、分力緩衝ユニット１４０は、計量皿１００の撓みから生じる水平方向の応力を逃がす作用を果たしており、計量皿１００の載置面１０１に重い被計量物が載り、計量皿１００が撓んだ場合でも、分力緩衝ユニット１４０の働きで高精度の計量が可能になる。
【００１９】
高さ調整ネジ１７０は、各センサ取付けフレーム１３０の前端及び後端の位置に配置されており、高さ調整ネジ１７０が螺合される高さ調整板１７１には、図４に示すように、センサ取付けフレーム１３０や接続フレーム１３１が結合されている。
また、高さ調整板１７１には、後述するストッパー取付フレーム１６２を取り付けるための連結部材１７２が結合されている。
【００２０】
重量センサユニット１２０が固定されるセンサ取付けフレーム１３０は、重量センサユニット１２０の取付け面１７３と、この取付け面１７３の両側縁が上方に折れ曲がって形成された起立部１７４とを有しており、この起立部１７４の外側の面には、ボルト１７５が取り付けられている。このボルト１７５は、ボス１５０と擂鉢状凹部１５３との係合が外れ、計量皿１００が接続フレーム１３１の延伸方向（センサ取付けフレーム１３０の延伸方向と直交する方向）にずれたときにボックス状被覆部１０２の内面（長手方向に沿う側面）に当接する第１当接部の役割を果たしている。
【００２１】
また、センサ取付けフレーム１３０の延伸方向と直交する高さ調整板１７１の外側面には、ボルト１７６が取り付けられている。このボルト１７６は、ボス１５０と擂鉢状凹部１５３との係合が外れ、計量皿１００がセンサ取付けフレーム１３０の延伸方向にずれたときにボックス状被覆部１０２の内面（長手方向に直交する側面）に当接する第２当接部の役割を果たしている。
【００２２】
図７は、計量部本体の床面ベースに取り付けた保護機構を示す斜視図であり、その分解した状態を図８に示している。図９及び図１０は、図７及び図８に対応する平面図である。また、図１１には、正面図を示している。
保護機構は、被計量物のオーバーランを抑止するストッパー１６０と、ストッパー１６０を床面ベースに取り付けるストッパー取付部材とを備え、ストッパー取付部材が、ストッパー１６０を支持するストッパー支持体１６１と、ストッパー支持体１６１に固定されて床面ベースに組み付けられるストッパー取付フレーム１６２とで構成されている。
【００２３】
ストッパー１６０は、載置面１０１の後方の計量部本体に接触しない位置に配置され、ストッパー１６０の両端が、それぞれ、三角形状のストッパー支持体１６１の垂直辺に沿ってネジで固定される。
ストッパー支持体１６１の底辺は、センサ取付フレーム１３０と並行に配置されるストッパー取付フレーム１６２にネジで固定される。
また、ストッパー取付フレーム１６２は、高さ調整板１７１に固定された連結部材１７２に結合される。
【００２４】
このように計量部本体と保護機構とが結合されて、図１に示す低床台秤が出来上がる。なお、図１の低床台秤では、計量皿１００の浮き上がり防止用ストッパー１７７をストッパー取付フレーム１６２に固定している。
この低床台秤は、オーバーランを抑止するストッパー１６０が設けられているため、被計量物を積載した台車ごと載置面１０１に載せる場合でも、オーバーランして載置面１０１から落ちる事故が防止できる。
【００２５】
このとき、台車がストッパー１６０に当たると、その衝撃は、ストッパー支持体１６１及びストッパー取付フレーム１６２を介して、高さ調整ネジ１７０と一体の高さ調整板１７１に伝わる。しかし、高さ調整ネジ１７０の一端は床面に接触して実質的に固定され、衝撃が伝わる高さ調整板１７１の位置は、その固定点の直ぐ近くであるから、その衝撃により重量センサユニット１２０や計量皿１００が受ける影響は、僅かである。
【００２６】
また、台車が計量皿１００に衝突し、その衝撃で重量センサユニット１２０のボス１５０と受部材１５２の擂鉢状凹部１５３との係合が外れ、計量皿１００がずれた場合でも、そのずれの方向がセンサ取付けフレーム１３０の延伸方向と直交する方向であれば、第１当接部であるボルト１７５がボックス状被覆部１０２の内面に当たり、ずれの方向がセンサ取付けフレーム１３０の延伸方向であれば、第２当接部であるボルト１７６がボックス状被覆部１０２の内面に当たるため、重量センサユニット１２０と計量皿１００との直接的な衝突が回避でき、重量センサの精度が維持できる。
【００２７】
なお、ここでは、ストッパー取付フレーム１６２が連結部材１７２を介して高さ調整板１７１と結合する場合について説明したが、ストッパー取付フレーム１６２が直に高さ調整板１７１と結合するようにしても良い。
【産業上の利用可能性】
【００２８】
本発明の低床台秤は、重量物の計量が容易であり、且つ、安全性が高いため、重量物の計量を必要とする製造工場や、物流施設、輸送施設などで幅広く利用することができる。
【符号の説明】
【００２９】
１００  計量皿
１０１  載置面
１０２  ボックス状被覆部
１０３  把手
１２０  重量センサユニット
１２１  センサケース
１２２  蓋板
１２３  ボルト
１２４  固定板
１３０  センサ取付けフレーム
１３１  接続フレーム
１４０  分力緩衝ユニット
１５０  ボス
１５２  受部材
１５３  擂鉢状凹部
１６０  ストッパー
１６１  ストッパー支持体
１６２  ストッパー取付フレーム
１７０  高さ調整ネジ
１７１  高さ調整板
１７２  連結部材
１７３  重量センサユニット取付け面
１７４  起立部
１７５  ボルト（第１当接部）
１７６  ボルト（第２当接部）
１７７  浮き上がり防止用ストッパー
【図１】
0005764403.tif 000002
【図２】
0005764403.tif 000003
【図３】
0005764403.tif 000004
【図４】
0005764403.tif 000005
【図５】
0005764403.tif 000006
【図６】
0005764403.tif 000007
【図７】
0005764403.tif 000008
【図８】
0005764403.tif 000009
【図９】
0005764403.tif 000010
【図１０】
0005764403.tif 000011
【図１１】
0005764403.tif 000012
【図１２】
0005764403.tif 000013
【図１３】
0005764403.tif 000014